(57)【要約】【課題】取付け作業性が良く、雨水等の侵入を未然に防止することができ、外観の見栄えにも優れる目地部材構造を提供する。【解決手段】建物外壁１０の目地空間１１に取付けられるクロス目地部材１ａ、横目地部材１ｂおよび縦目地部材１ｃからなる目地部材であって、隣接する横目地部材１ｂまたは縦目地部材１ｃの端部に、その室内側である略後半部を斜め垂直方向に切除して切欠傾斜部Ｋを形成し、クロス目地部材１ａの端部の略後半部に、前記切欠傾斜部Ｋの形状に合致する形状の突出傾斜部Ｔを形成する。【選択図】　　　図２
2004100390.tif 000002
【特許請求の範囲】
【請求項１】
建物外壁の目地空間に室外側から圧入され、目地空間を柱部の左右両側面に形成されたシールリップでシールする複数の目地部材であって、
隣接する一方の目地部材の端部に、その室外側である略前半部／または室内側である略後半部を斜め垂直方向に切除して切欠傾斜部を形成し、
前記一方の目地部材に相対向する、他方の目地部材の端部の室外側である略前半部／または室内側である略後半部に、前記切欠傾斜部の形状に合致する形状の突出傾斜部を形成してなることを特徴とする目地部材構造。
【請求項２】
前記目地部材は、横目地と縦目地との交差部をシールするクロス目地部材、横目地をシールする横目地部材および縦目地をシールする縦目地部材からなり、
前記一方の目地部材は、前記クロス目地部材であり、前記他方の目地部材は、横目地部材または縦目地部材であることを特徴とする請求項１に記載の目地部材構造。
【請求項３】
前記目地部材は、横目地と縦目地との交差部をシールするクロス目地部材、横目地をシールする横目地部材および縦目地をシールする縦目地部材からなり、
前記他方の目地部材は、前記クロス目地部材であり、前記一方の目地部材は、横目地部材または縦目地部材であることを特徴とする請求項１に記載の目地部材構造。
【発明の詳細な説明】
【０００１】
【発明の属する技術分野】
本発明は、建物の外壁に形成される目地空間に圧入取付けされる目地部材の構造に関するものである。
【０００２】
【従来の技術】
従来、図７で示すように、建物の外壁１０に形成される目地空間１１には、クロス目地部材２１ａ、横目地部材２１ｂおよび縦目地部材２１ｃが圧入取付けされている。これら目地部材２１は、柱部２２から突出形成したリップ２３，２４，２５で目地空間１１を塞ぎ、雨水等が目地空間１１を通って建物内に侵入するのを未然に防止するシール機能を発揮する。
【０００３】
そして、これら目地部材２１の端面は、図８および図９に示すように、全て垂直面Ｓに設定され、この垂直面Ｓ同士を突き合わせるようにしている。
このように端面を垂直面としたクロス目地部材は、例えば特開平１０−２０３１号公報に開示されている。
【０００４】
【発明が解決しようとする課題】
しかしながら、垂直面Ｓ同士を突き合わせて構成する従来の目地部材２１には、次のような問題がある。
（１）例えば、クロス目地部材２１ａを取付けた後に、横目地部材２１ｂ（または縦目地部材２１ｃ）を取付ける際に、横目地部材２１ｂの端部の室内側の部位Ｐがクロス目地部材２１ａの端部に突き当たるため、取付け作業性が悪い（図９（ａ）参照）。
（２）取付け完了後において、隣接する二つの目地部材２１ａ，２１ｂ間に隙間Ｇが発生し易い（図９（ｂ）参照）。
そのため、その隙間Ｇから雨水等が侵入する危険性があると共に、目地空間１１が外から視覚され見栄えが悪い。
（３）隣接する二つの目地部材２１ａ，２１ｂ同士の組付力が乏しいと共に、圧入深さに差が生じ易い。
従って、クロス目地部材２１ａ等が脱落し易いと共に、隣接する目地部材２１ａ，２１ｂ間に段差が生じ易く、雨水等が侵入し易く、見栄えも悪い。
【０００５】
そこで、本発明の目的とするところは、取付け作業性が良く、雨水等の侵入を未然に防止することができ、外観の見栄えにも優れる目地部材構造を提供することにある。
【０００６】
【課題を解決するための手段】
上記の目的を達成するために、本発明の請求項１に記載の目地部材構造は、建物外壁（１０）の目地空間（１１）に室外側から圧入され、目地空間（１１）を柱部（２）の左右両側面に形成されたシールリップ（３，４，５）でシールする複数の目地部材（１）であって、
隣接する一方の目地部材（１）の端部に、その室外側である略前半部を斜め垂直方向に切除して切欠傾斜部（Ｋ）を形成し、かつ前記一方の目地部材（１）に相対向する、他方の目地部材（１）の端部の室外側である略前半部に、前記切欠傾斜部（Ｋ）の形状に合致する形状の突出傾斜部（Ｔ）を形成してなるか、あるいは、
隣接する一方の目地部材（１）の端部に、その室内側である略後半部を斜め垂直方向に切除して切欠傾斜部（Ｋ）を形成し、かつ前記一方の目地部材（１）に相対向する、他方の目地部材（１）の端部の室内側である略後半部に、前記切欠傾斜部（Ｋ）の形状に合致する形状の突出傾斜部（Ｔ）を形成してなることを特徴とする。
【０００７】
また、請求項２に記載の発明は、請求項１に記載の発明において、前記目地部材（１）は、横目地と縦目地との交差部をシールするクロス目地部材（１ａ）、横目地をシールする横目地部材（１ｂ）および縦目地をシールする縦目地部材（１ｃ）からなり、
前記一方の目地部材（１）は、前記クロス目地部材（１ａ）であり、前記他方の目地部材（１）は、横目地部材（１ｂ）または縦目地部材（１ｃ）であることを特徴とする。
【０００８】
さらに、請求項３に記載の発明は、請求項１に記載の発明において、前記目地部材（１）は、横目地と縦目地との交差部をシールするクロス目地部材（１ａ）、横目地をシールする横目地部材（１ｂ）および縦目地をシールする縦目地部材（１ｃ）からなり、
前記他方の目地部材（１）は、前記クロス目地部材（１ａ）であり、前記一方の目地部材（１）は、横目地部材（１ｂ）または縦目地部材（１ｃ）であることを特徴とする。
【０００９】
なお、括弧内の記号は、図面および後述する発明の実施の形態に記載された対応要素または対応事項を示す。
【００１０】
本発明の目地部材構造によれば、隣接する目地部材、組み合わせとしてはクロス目地部材と横目地部材，クロス目地部材と縦目地部材の他，横目地部材同士，縦目地部材同士，クロス目地部材同士も考えられるが、例えば、クロス目地部材と横目地部材が隣接する場合は、クロス目地部材の端部に、その室外側である略前半部または室内側である略後半部を斜め垂直方向に切除して切欠傾斜部を形成し、横目地部材の端部に、前記切欠傾斜部の形状に合致する形状の突出傾斜部を形成するか、あるいは、横目地部材の端部に、その室外側である略前半部または室内側である略後半部を斜め垂直方向に切除して切欠傾斜部を形成し、クロス目地部材の端部に、前記切欠傾斜部の形状に合致する形状の突出傾斜部を形成するようにしたので、両目地部材を取付ける際に、その端部が隣接する目地部材の端部に突き当たることがない。
なお、クロス目地部材の端部の略前半部に切欠傾斜部を形成し、かつ横目地部材の端部の略前半部に突出傾斜部を形成する場合には、クロス地部材の方を先に目地空間に圧入し、逆にクロス目地部材の端部の略後半部に切欠傾斜部を形成し、かつ横目地部材の端部の略後半部に突出傾斜部を形成する場合には、横目地部材の方を先に目地空間に圧入する必要がある。また、横目地部材の端部の略前半部に切欠傾斜部を形成し、かつクロス目地部材の端部の略前半部に突出傾斜部を形成する場合には、横目地部材の方を先に目地空間に圧入し、逆に横目地部材の端部の略後半部に切欠傾斜部を形成し、かつクロス目地部材の端部の略後半部に突出傾斜部を形成する場合には、クロス目地部材の方を先に目地空間に圧入する必要がある。
【００１１】
また、隣接する目地部材の端部同士が突き当たらないので、両者間に隙間を発生させることなく密に突き合わせた状態で取付けることができる。仮に隙間が発生しても、切欠傾斜部と突出傾斜部との間に形成される当該隙間は屈曲しているので、隙間に侵入した雨水等は室内側への侵入が困難となり、その屈曲部分を伝って下方に落下して排出される。また、隙間が発生しても、その隙間は屈曲しているので目地空間の内部が視覚されることがない。
【００１２】
さらに、切欠傾斜部と突出傾斜部とを突き合わせるので、隣接する目地部材同士の組付力によってクロス目地部材等の脱落を防止することができる。
また、両目地部材の圧入深さを統一することができるので、目地部材間の段差も生じさせない。
【００１３】
【発明の実施の形態】
図１乃至図３を参照して、本発明の第一実施形態に係る目地部材構造について説明する。図１は、本発明の実施形態に係る目地部材構造を構成するクロス目地部材１ａ、横目地部材１ｂおよび縦目地部材１ｃが目地空間１１に取付けられた状態を示し、図２はクロス目地部材１ａを示し、図３はクロス目地部材１ａの端部とそれに隣接する横目地部材１ｂの端部を示すもので、（ａ）は圧入取付け時の状態、（ｂ）は取付け後の状態を示す。従来例で示したものと同一部分には同一符号を付した。
【００１４】
本発明の第一実施形態に係る目地部材構造は、建物外壁１０の目地空間１１に室外側から圧入取付けされるクロス目地部材１ａ、横目地部材１ｂおよび縦目地部材１ｃからなる目地部材である。各目地部材１は、ゴムまたはゴム様弾性体からなり、柱部２の左右両側面にシールリップが形成されている。より詳細には室外側に外リップ３、室内側に内リップ５、そしてその間に中リップ４を突設して構成され、それらリップ２，３，４が目地空間１１の側壁に弾設してシール機能を発揮する。
【００１５】
そして、本実施形態では、隣接するクロス目地部材１ａと横目地部材１ｂのうち、横目地部材１ｂの端部に、その室内側である略後半部を斜め垂直方向に、すなわち端部の角部を斜めでかつ端部の延びる方向に対して垂直に、切除して切欠傾斜部Ｋを形成している。また、クロス目地部材１ａの端部の略後半部に、この切欠傾斜部Ｋの形状に合致する形状の突出傾斜部Ｔを形成している。
【００１６】
この目地部材においては、目地空間１１にクロス目地部材１ａを取付けた後に、横目地部材１ｂを取付ける。
このとき、横目地部材１ｂには切欠傾斜部Ｋを形成しているので、当該横目地部材１ｂの端部がクロス目地部材１ａの端部に突き当たらない。従って、容易に取付けることができ、作業性が向上する。
【００１７】
また、両端部同士が突き当たらないので、クロス目地部材１ａと横目地部材１ｂとを隙間なく取付けることができる。仮に、両者間に僅かな隙間Ｇが発生しても、この隙間Ｇは屈曲しているので雨水等はこの屈曲部分を伝って落下し、目地空間１１の奥に位置する桟木１２等まで達することがない。また、当該隙間Ｇは屈曲しているので、目地空間１１の内部が視覚されることがなく、外観の見栄えが向上する。
【００１８】
さらに、横目地部材１ｂの切欠傾斜部Ｋが、クロス目地部材１ａの突出傾斜部Ｔに突き当たるので、横目地部材１ｂがクロス目地部材１ａを押え込むようにはたらく組付力によって、クロス目地部材１ａの脱落を防止することができる。また、両目地部材１の圧入深さを統一することができるので、横目地部材１ｂが飛び出してクロス目地部材１ａとの間に段差を形成することもない。よって、見栄えが良い。
【００１９】
次に図４を参照して、本発明の第二実施形態に係る目地部材構造を説明する。この目地部材構造は、横目地部材１ｂの端部に形成する切欠傾斜部Ｋを、その略前半部に形成し、それに対応して、クロス目地部材１ａの端部に形成する突出傾斜部Ｔを、その略前半部に形成したものである。
【００２０】
この実施形態においては、切欠傾斜部Ｋおよび突出傾斜部Ｔを略前半部に形成しているので、上記実施形態とは逆に、横目地部材１ｂを取付けた後に、クロス目地部材１ａを取付ける。
【００２１】
本実施形態における目地部材構造においては、クロス目地部材１ａの突出傾斜部Ｔが横目地部材１ｂの切欠傾斜部Ｋを押え込むようにして組付くので、横目地部材１ｂの脱落を防止することができる。また、第一実施形態と同様に、取付け作業性の向上、雨水等の侵入防止および見栄えの向上を図ることができる。
【００２２】
さらに次に図５および図６を参照して、本発明の第三および第四実施形態に係る目地部材構造を説明する。
これらは、共に、クロス目地部材１ａ側に切欠傾斜部Ｋを形成し、横目地部材１ｂ側に突出傾斜部Ｔを形成したものである。そして、第三実施形態では、図５に示すように、その切欠傾斜部Ｋおよび突出傾斜部Ｔを略後半部に形成し、第四実施形態では、図６に示すように、略前半部に形成している。
これらの目地部材構造においても、第一および第二実施形態の場合と同様に、取付け作業性、雨水等の侵入防止および見栄えの向上を図ることができる。
【００２３】
なお、上記実施形態に係る目地部材構造は、クロス目地部材１ａと横目地部材１ｂについて説明しているが、クロス目地部材１ａと縦目地部材１ｃ、横目地部材１ｂ同士および縦目地部材１ｃ同士、あるいはクロス目地部材１ａ同士といった他の目地部材１同士についても同様の構成とすることができる。
【００２４】
【発明の効果】
本発明の目地部材構造によれば、次の効果を得ることができる。
（１）目地部材を取付ける際に、その目地部材の端部が隣接する目地部材の端部に突き当たることがないので、取付け作業性の向上を図ることができる。
（２）また取付け完了後において、隣接する目地部材の間に隙間が生じ難いので、雨水等の侵入を防止し、見栄えの向上を図ることができる。また、僅かな隙間が生じても、その隙間は屈曲しているので、雨水等の侵入を防止することができる。さらに、目地空間の内部が視覚されることがないので見栄えの向上を図ることができる。
（３）隣接する目地部材同士を組付けるので、クロス目地部材等の脱落を未然に防止することができる。また、隣接する目地部材の圧入深さを統一することができるので、両目地部材間に段差を生じさせない。これにより、雨水等の侵入を防止し、見栄えの向上を図ることができる。
【図面の簡単な説明】
【図１】本発明の実施形態に係る目地部材構造を構成するクロス目地部材、縦目地部材および横目地部材が目地空間に取付けられた状態を示す正面図である。
【図２】図１のクロス目地部材を示す斜視図である。
【図３】本発明の第一実施形態において、クロス目地部材の端部とそれに隣接する横目地部材の端部を示す断面図であり、（ａ）は圧入取付け時の状態、（ｂ）は取付け後の状態である。
【図４】本発明の第二実施形態において、クロス目地部材の端部とそれに隣接する横目地部材の端部を示す断面図である。
【図５】本発明の第三実施形態において、クロス目地部材の端部とそれに隣接する横目地部材の端部を示す断面図である。
【図６】本発明の第四実施形態において、クロス目地部材の端部とそれに隣接する横目地部材の端部を示す断面図である。
【図７】従来例に係る目地部材構造を構成するクロス目地部材、縦目地部材および横目地部材が目地空間に取付けられた状態を示す正面図である。
【図８】図７のクロス目地部材を示す斜視図である。
【図９】図７のクロス目地部材の端部とそれに隣接する横目地部材の端部を示す断面図であり、（ａ）は圧入取付け時の状態、（ｂ）は取付け後の状態である。
【符号の説明】
１　　　目地部材
１ａ　　クロス目地部材
１ｂ　　横目地部材
１ｃ　　縦目地部材
２　　　柱部
３　　　外リップ
４　　　中リップ
５　　　内リップ
１０　　　建物外壁
１１　　　目地空間
１２　　　桟木
２１　　　目地部材
２１ａ　　クロス目地部材
２１ｂ　　横目地部材
２１ｃ　　縦目地部材
２２　　　柱部
２３　　　外リップ
２４　　　中リップ
２５　　　内リップ
Ｋ　　　切欠傾斜部
Ｔ　　　突出傾斜部
Ｓ　　　垂直面
Ｇ　　　隙間
【図１】
2004100390.tif 000003
【図２】
2004100390.tif 000004
【図３】
2004100390.tif 000005
【図４】
2004100390.tif 000006
【図５】
2004100390.tif 000007
【図６】
2004100390.tif 000008
【図７】
2004100390.tif 000009
【図８】
2004100390.tif 000010
【図９】
2004100390.tif 000011